【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示部と、
遊技媒体を受け入れる受入手段と、
前記受入手段からの遊技媒体受入を検出し、予め定められた規定数を上限として遊技の賭数を設定する賭数設定手段と、
該賭数設定手段の設定した賭数に基づいて前記表示部から視認できる視認範囲に有効位置を設定する有効位置設定手段と、
前記各周回体の周回を開始させるべく操作される始動操作手段と、
前記始動操作手段の操作に基づき、前記賭数設定手段の設定した賭数に基づいた当選確率で所定絵柄役及び特定絵柄役等の役の抽選を行う抽選手段と、
前記各周回体毎に設けられ、該各周回体を周回させる駆動手段と、
前記各周回体の周回を個別に停止させるべく操作される複数の停止操作手段と、
前記停止操作手段の操作タイミングと前記視認範囲に停止させる停止絵柄との関係を定め得る停止情報群を予め複数記憶する停止情報群記憶手段と、
前記複数の停止情報群から役の抽選結果に基づいた停止情報群を選択する停止情報群選択手段と、
該停止情報群選択手段の選択した停止情報群を格納する停止情報群格納手段と、
前記始動操作手段の操作に基づいて前記各周回体の周回を開始させるように、且つ、前記停止操作手段の操作と前記停止情報群格納手段に格納された停止情報群に基づいて、対応する周回体の周回を停止させるように前記各駆動手段を駆動制御する駆動制御手段と、
前記役の抽選結果が所定絵柄役当選であって前記有効位置に所定絵柄が所定の組合せを形成して停止した場合に、遊技媒体を払い出す特典を付与する特典付与手段と、
前記役の抽選結果が特定絵柄役当選であって前記有効位置に特定絵柄が所定の組合せを形成して停止した場合、所定の終了条件が成立するまで遊技状態を通常遊技状態から遊技者に有利な特別遊技状態に移行させる特別遊技状態移行手段と
を備えた遊技機において、
遊技状態が前記特別遊技状態である場合に、前記賭数設定手段が設定し得る賭数の上限を前記規定数より少ない第２規定数に変更することを決定する賭数上限決定手段と、
該賭数上限決定手段が賭数の上限を前記第２規定数と決定した場合、前記賭数設定手段が設定し得る賭数の上限を前記第２規定数に変更する賭数上限変更手段と、
前記賭数上限変更手段が賭数の上限を前記第２規定数に変更し、前記賭数設定手段が前記第２規定数を賭数として設定した場合、賭数が前記規定数の場合に前記有効位置設定手段が設定する有効位置と同じ位置に有効位置を設定する第２有効位置設定手段と、
前記賭数上限変更手段が賭数の上限を前記第２規定数に変更した場合、通常遊技状態下で当選し得る所定絵柄役の当選確率を、通常遊技状態下における前記所定絵柄役の当選確率より高確率となるように変更する当選確率変更手段と
を備えたことを特徴とする遊技機。
【請求項２】
通常遊技状態下で当選し得る所定絵柄役として第１所定絵柄役と第２所定絵柄役を有し、前記停止情報群選択手段は、前記第１所定絵柄役に当選した場合、前記各停止操作手段の操作タイミングに関わらず第１所定絵柄が前記有効位置に所定の組合せを形成するよう停止情報群を選択し、前記第２所定絵柄役に当選した場合、前記各停止操作手段が所定の操作タイミングで操作された場合に第２所定絵柄が前記有効位置に所定の組合せを形成するよう停止情報群を選択し、前記当選確率変更手段は、前記第１所定絵柄役の当選確率を変更することを特徴とする請求項１に記載の遊技機。
【請求項３】
前記各停止情報群に、前記周回体の周回を停止させる停止態様として、前記停止操作手段の操作タイミングで前記視認範囲に到達している到達絵柄をそのまま停止させる停止態様と、前記到達絵柄を前記周回体の周回する側に予め定めた絵柄数分だけ移動させた後に停止させる停止態様と、のうち複数の停止態様を設定し、
前記有効位置に先に到達する第１所定絵柄と、前記有効位置に次に到達する同種の第１絵柄の間隔が、前記到達絵柄の移動できる最大絵柄数以下となるように、前記第１所定絵柄を前記各周回体に付したことを特徴とする請求項２に記載の遊技機。
【請求項４】
前記役の抽選結果が規定絵柄役当選であって、前記複数の周回体のうち予め定めた１の周回体に付された規定絵柄が前記有効位置に停止した場合に、遊技媒体を払い出す特典を付与する第２特典付与手段を備えることを特徴とする請求項１乃至３のいずれか１に記載の遊技機。
【請求項５】
前記始動操作手段が操作された場合に当該操作が有効か否かを判定する始動操作判定手段を備え、該始動操作判定手段は、前記賭数設定手段が賭数の上限と同数の賭数を設定した後の操作を有効と判定することを特徴とする請求項１乃至４のいずれか１に記載の遊技機。
【請求項６】
前記停止情報群選択手段は、前記賭数上限変更手段が賭数の上限を前記第２規定数に変更すると共に前記賭数設定手段が前記第２規定数を賭数として設定した場合、前記賭数設定手段が前記規定数を賭数として設定した場合と同じ停止情報群を選択することを特徴とする請求項１乃至５のいずれか１に記載の遊技機。
【請求項７】
周方向に周回すると共に、該周方向に複数種の絵柄が付された複数の周回体と、
前記各周回体について各絵柄のうち一部の絵柄を視認可能とする表示部と、
遊技媒体を受け入れる受入手段と、
前記受入手段からの遊技媒体受入を検出し、予め定められた規定数を上限として遊技の賭数を設定する賭数設定手段と、
該賭数設定手段の設定した賭数に基づいて前記表示部から視認できる視認範囲に有効位置を設定する有効位置設定手段と、
前記各周回体の周回を開始させるべく操作される始動操作手段と、
前記始動操作手段の操作に基づき、前記賭数設定手段の設定した賭数に基づいた当選確率で所定絵柄役や規定絵柄役特定絵柄役等の役の抽選を行う抽選手段と、
前記各周回体毎に設けられ、該各周回体を周回させる駆動手段と、
前記各周回体の周回を個別に停止させるべく操作される複数の停止操作手段と、
前記停止操作手段の操作タイミングと前記視認範囲に停止させる停止絵柄との関係を定め得る停止情報群を予め複数記憶する停止情報群記憶手段と、
前記複数の停止情報群から役の抽選結果に基づいた停止情報群を選択する停止情報群選択手段と、
該停止情報群選択手段の選択した停止情報群を格納する停止情報群格納手段と、
前記始動操作手段の操作に基づいて前記各周回体の周回を開始させるように、且つ、前記停止操作手段の操作と前記停止情報群格納手段に格納された停止情報群に基づいて、対応する周回体の周回を停止させるように前記各駆動手段を駆動制御する駆動制御手段と、
前記役の抽選結果が所定絵柄役当選であって前記有効位置に所定絵柄が所定の組合せを形成して停止した場合に、遊技媒体を払い出す特典を付与する第１特典付与手段と、
前記役の抽選結果が規定絵柄役当選であって、前記複数の周回体のうち予め定めた１の規定周回体に付された規定絵柄が前記有効位置に停止した場合に、遊技媒体を払い出す特典を付与する第２特典付与手段と、
前記役の抽選結果が特定絵柄役当選であって前記有効位置に特定絵柄が所定の組合せを形成して停止した場合、所定の終了条件が成立するまで遊技状態を通常遊技状態から遊技者に有利な特別遊技状態に移行させる特別遊技状態移行手段と
を備えた遊技機において、
遊技状態が前記特別遊技状態である場合に、前記賭数設定手段が設定し得る賭数の上限を前記規定数より少ない第２規定数に変更することを決定する賭数上限決定手段と、
該賭数上限決定手段が賭数の上限を前記第２規定数と決定した場合、前記賭数設定手段が設定し得る賭数の上限を前記第２規定数に変更する賭数上限変更手段と、
前記賭数上限変更手段が賭数の上限を前記第２規定数に変更し、前記賭数設定手段が前記第２規定数を賭数として設定した場合、賭数が前記規定数の場合に前記有効位置設定手段が設定する有効位置と同じ位置に有効位置を設定する第２有効位置設定手段と、
前記賭数上限変更手段が賭数の上限を前記第２規定数に変更した場合、通常遊技状態下で当選し得る所定絵柄役の当選確率を、通常遊技状態下における前記所定絵柄役の当選確率より高確率となるように変更する当選確率変更手段と
を備え、
前記規定周回体には、前記規定絵柄と、前記当選確率変更手段により当選確率を高確率に変更される所定絵柄役と対応する所定絵柄と、が隣接する箇所を有するように前記複数種の絵柄を配置したことを特徴とする遊技機。